【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
ラベルサイズが指定されたラベルのラベルイメージを表示すると共に、前記ラベルに打刻される点字の打刻領域イメージを表示するイメージ表示工程と、
前記ラベルイメージと前記打刻領域イメージとを重ねあわせて配置するイメージ配置工程と、
前記イメージ配置工程により、前記打刻領域イメージが前記ラベルイメージからはみ出して配置されたときに、前記ラベルに前記点字を打刻不能である旨の打刻不能報知を行う報知工程と、を備えたことを特徴とする点字レイアウト作成装置の制御方法。
【請求項２】
ラベルサイズが指定されたラベルのラベルイメージを表示すると共に、前記ラベルに打刻される点字の打刻領域イメージを表示するイメージ表示手段と、
前記ラベルイメージと前記打刻領域イメージとを重ねあわせて配置するためのイメージ配置手段と、
前記イメージ配置手段により、前記打刻領域イメージが前記ラベルイメージからはみ出して配置されたときに、前記ラベルに前記点字を打刻不能である旨の打刻不能報知を行う報知手段と、を備えたことを特徴とする点字レイアウト作成装置。
【請求項３】
前記打刻領域イメージは、実際に打刻される前記点字の打刻点に外接して前記点字を囲む方形の実打刻領域のイメージと、前記実打刻領域の周囲に設定され点字打刻のために必要なクリアランスとなる打刻必要領域のイメージと、から成ることを特徴とする請求項２に記載の点字レイアウト作成装置。
【請求項４】
前記打刻領域イメージは、実際に打刻される前記点字の打刻点に外接して前記点字を囲む方形の実打刻領域のイメージであり、
前記イメージ表示手段は、前記ラベルイメージの内側に、点字打刻のためのクリアランスを存して設定した打刻可能領域のイメージを、更に表示し、
前記報知手段は、前記打刻領域イメージが前記ラベルイメージからはみ出して配置されたときに代えて、前記打刻領域イメージが前記打刻可能領域のイメージからはみ出して配置されたときに、前記ラベルに前記点字を打刻不能である旨の打刻不能報知を行うことを特徴とする請求項２に記載の点字レイアウト作成装置。
【請求項５】
請求項２ないし４のいずれかに記載の点字レイアウト作成装置と、
前記レイアウト作成装置による前記ラベルイメージと前記打刻領域イメージとの配置に基づいて、前記ラベルとなる処理テープに前記点字を打刻する点字打刻装置と、を備えたことを特徴とするテープ処理システム。
【請求項６】
請求項２ないし４のいずれかに記載の点字レイアウト作成装置における各手段としてコンピュータを機能させるためのプログラム。
【手続補正２】
【補正対象書類名】明細書
【補正対象項目名】０００７
【補正方法】変更
【補正の内容】
【０００７】
本発明の点字レイアウト作成装置の制御方法は、ラベルサイズが指定されたラベルのラベルイメージを表示すると共に、ラベルに打刻される点字の打刻領域イメージを表示するイメージ表示工程と、ラベルイメージと打刻領域イメージとを重ねあわせて配置するイメージ配置工程と、イメージ配置工程により、打刻領域イメージがラベルイメージからはみ出して配置されたときに、ラベルに点字を打刻不能である旨の打刻不能報知を行う報知工程と、を備えたことを特徴とする。
【手続補正３】
【補正対象書類名】明細書
【補正対象項目名】０００８
【補正方法】変更
【補正の内容】
【０００８】
本発明の点字レイアウト作成装置は、ラベルサイズが指定されたラベルのラベルイメージを表示すると共に、ラベルに打刻される点字の打刻領域イメージを表示するイメージ表示手段と、ラベルイメージと打刻領域イメージとを重ねあわせて配置するためのイメージ配置手段と、イメージ配置手段により、打刻領域イメージがラベルイメージからはみ出して配置されたときに、ラベルに点字を打刻不能である旨の打刻不能報知を行う報知手段と、を備えたことを特徴とする。
【手続補正４】
【補正対象書類名】明細書
【補正対象項目名】０００９
【補正方法】変更
【補正の内容】
【０００９】
この構成によれば、ラベルイメージ上に点字の打刻領域イメージを重ね合わせることにより点字レイアウトを作成する場合、打刻領域イメージがラベルイメージからはみ出して配置が為されると、報知手段により、ラベルに点字を打刻不能である旨報知される。したがって、ユーザは、イメージ配置手段による点字レイアウトの作成段階で、作成した点字レイアウトにより、ラベルに所望とする全点字を打刻できるか否かを確実に認識することができる。そして、打刻不能報知が為された場合には、（所望とする全点字をラベルに打刻可能な点字レイアウトになるよう）ラベルイメージに対する打刻領域イメージの配置位置を直ぐに変更することができる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
この場合、打刻領域イメージは、実際に打刻される点字の打刻点に外接して点字を囲む方形の実打刻領域のイメージと、実打刻領域の周囲に設定され点字打刻のために必要なクリアランスとなる打刻必要領域のイメージと、から成ることが好ましい。
【手続補正７】
【補正対象書類名】明細書
【補正対象項目名】００１２
【補正方法】変更
【補正の内容】
【００１２】
この構成によれば、打刻領域イメージが、実打刻領域のイメージと打刻必要領域のイメージとから成ることで、ラベルイメージと領域イメージとの位置関係に基づいて、点字がラベルからはみ出す設定が為される打刻領域イメージのレイアウトであるか否かを容易に判断することが可能となる。そして、ラベルイメージから打刻領域イメージがはみ出す場合が、点字がラベルからはみ出す設定となるため、ラベルイメージから打刻領域イメージがはみ出す場合に、打刻不能報知を行えばよい。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
この場合、打刻領域イメージは、実際に打刻される点字の打刻点に外接して点字を囲む方形の実打刻領域のイメージであり、イメージ表示手段は、ラベルイメージの内側に、点字打刻のためのクリアランスを存して設定した打刻可能領域のイメージを、更に表示し、報知手段は、打刻領域イメージがラベルイメージからはみ出して配置されたときに代えて、打刻領域イメージが打刻可能領域のイメージからはみ出して配置されたときに、ラベルに点字を打刻不能である旨の打刻不能報知を行うことが好ましい。
【手続補正１０】
【補正対象書類名】明細書
【補正対象項目名】００１５
【補正方法】変更
【補正の内容】
【００１５】
この構成によれば、打刻領域イメージを実打刻領域と対応させると共に、ラベルイメージ上に点字打刻のためのクリアランスを加味した打刻可能領域のイメージを表示しているため、打刻可能領域のイメージと打刻領域イメージとの位置関係に基づいて、点字がラベルからはみ出す設定が為される打刻領域イメージのレイアウトであるか否かを容易に判断することが可能となる。そして、打刻可能領域のイメージから打刻領域イメージがはみ出す場合が、点字がラベルからはみ出す設定となるため、打刻可能領域のイメージから打刻領域イメージがはみ出す場合に打刻不能報知を行えばよい。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
本発明のテープ処理システムは、上述のいずれかに記載のレイアウト作成装置と、レイアウト作成装置による前記ラベルイメージと前記打刻領域イメージとの配置に基づいて、ラベルとなる処理テープに前記点字を打刻する点字打刻装置と、を備えたことを特徴とする。
【手続補正２１】
【補正対象書類名】明細書
【補正対象項目名】００２６
【補正方法】変更
【補正の内容】
【００２６】
この構成によれば、ラベルイメージに対して打刻領域イメージを配置すると、当該配置に基づいて、ラベルに点字が適切にレイアウトされているか否かを報知するレイアウト作成装置を備えているため、不適切な点字レイアウトのまま、ラベルの作成が進行することを防止することができ、ユーザの操作性を向上させることができる。
【手続補正２２】
【補正対象書類名】明細書
【補正対象項目名】００３３
【補正方法】変更
【補正の内容】
【００３３】
一方、装置ケース３の後半部上面の右部には、点字打刻部６４が配設されている。点字打刻部６４には、点字打刻部６４の主体を為す打刻アッセンブリ４０を前後に挟んで、テープ片Ｔａの印刷面を上にして前方から手差し挿入する打刻テープ挿入部（シート挿入部）１１、および点字打刻されたテープ片Ｔａが後方に排出される打刻テープ排出部１２が形成されている。打刻テープ挿入部１１には、その幅を調整可能な手差しガイド１３が設けられている。なお、図２における符号１５は、打刻アッセンブリ４０を覆う打刻部カバーである。
【手続補正２３】
【補正対象書類名】明細書
【補正対象項目名】００４７
【補正方法】変更
【補正の内容】
【００４７】
次に、データ作成装置１０１について説明する。図１に示すように、データ作成装置１０１は、パソコン等で構成されており、キーボードやマウス等の入力装置１０２、ＦＤドライブやＣＤ−ＲＯＭドライブ、メモリカードスロット等、各種記憶媒体Ｍを読み取るための各種ドライブ１０３、入力した印刷データ等各種データやメッセージなどを表示するモニタディスプレイ１０４、ハードディスク等の記憶装置（図示省略）等が備えられている。
【手続補正２４】
【補正対象書類名】明細書
【補正対象項目名】００５１
【補正方法】変更
【補正の内容】
【００５１】
テープ幅設定部１１３は、テープ幅を選択するテープ幅選択ボックス１２１の他、ラベル作成装置１が接続されているときに、（ラベル作成装置１との通信により）テープ幅を取得するテープ幅取得ボタン１２２を有している。テープ長設定部１１４では、入力データ（文字の長さ）に応じてテープ片の長さを自動設定するか、所定長に設定するかを設定し、所定長に設定する場合には、テープ長設定ボックス１２５を用いて、数値入力によるテープ片の長さをさらに設定する。ラベル種設定部１１７は、貼付対象物を選択することにより、テープ片の長さを貼付対象物に合わせて自動的に定長設定するものであり、ここで貼付対象物を選択すると、テープ長設定部１１４のテープ長設定ボックス１２５には、選択した貼付対象物に対応した長さが自動入力される。
【手続補正２５】
【補正対象書類名】明細書
【補正対象項目名】００５２
【補正方法】変更
【補正の内容】
【００５２】
（ラベル設定画面１１１上での）これらの設定を終えた後、ＯＫボタン１２８をクリックすると、図７に示すような入力編集画面１３１が表示される。図７に示すように、入力編集画面１３１は、印刷データや点字データを作成するためのデータを入力・編集を行うためのものであり、印刷データ用の文字情報（印刷用文字情報）を入力するための印刷用文字情報入力ボタン１３２、点字データ用の文字情報（点字用文字情報）を入力するための点字用文字情報入力ボタン１３３等が備えられている。また、入力編集画面１３１には、ポインタ１３４が表示されると共に、ラベル設定画面１１１での設定に基づいて、作成されるラベルのラベルイメージ１４１が表示される。さらに、入力編集画面１３１には、ラベル設定画面１１１で設定したテープ長、テープ幅、および余白についての設定値を表示すると共に、設定値を再設定可能なラベル設定部１４２も設けられている。
【手続補正２６】
【補正対象書類名】明細書
【補正対象項目名】００５４
【補正方法】変更
【補正の内容】
【００５４】
点字用文字情報データについても略同様であり、点字用文字情報入力ボタン１３３をクリックして、点字用文字情報入力ボックス１６１（図８（ａ）参照）を表示させ、点字用文字情報を文字入力した後、所定の操作を行うと、入力した点字用文字情報に基づいて、ラベルに打刻される点字の点字イメージ１７１が作成され、作成された点字イメージ１７１が入力編集画面１３１上に表示される（図８（ｂ）参照）。なお、この場合の点字イメージは、点字用文字情報として入力した入力文字を（分かち書きなどの）点字ルールに則って変換（翻訳）した点字に対応しており、点字が打刻される領域の領域イメージ１７２上に当該点字の打刻イメージである点字パターン１７３を表したものである。また、詳述は避けるが、本実施形態では、点字を構成する打刻点を直接指定する点入力により、点字の文字情報を入力することも可能である。
【手続補正２７】
【補正対象書類名】明細書
【補正対象項目名】００６１
【補正方法】変更
【補正の内容】
【００６１】
上記したデータ作成装置１０１の記憶装置には、ラベル作成装置１により打刻される点字のマス内における打刻点ピッチａ（縦２列×横３列の打刻点から成る点字マスの縦列間の間隔）、や点字のマス間ピッチｂ（点字マスと点字マスとの間隔）等の点字サイズを含む点字情報が記憶されていると共に、打刻必要領域１８２に関する打刻必要領域情報、すなわち実打刻領域１８１に対して必要となる前後上下の領域幅（余白幅）も予め記憶されている（図１０参照）。そして、データ作成装置１０１では、入力された点字用文字情報の文字数と、点字情報とに基づいて、実打刻領域１８１（の領域サイズ）を設定し、設定した実打刻領域１８１と打刻必要領域情報とから、打刻領域１８３（の領域サイズ）を設定できるようになっている。
【手続補正２８】
【補正対象書類名】明細書
【補正対象項目名】００６４
【補正方法】変更
【補正の内容】
【００６４】
一方、テープ長設定部１１４で、定長が設定され、テープ長（ラベル長）が指定されている場合、ラベルＬの幅方向および長さ方向に対して、ラベルＬから打刻領域１８３がはみ出すか否かを判断する。そして、ラベルイメージ１４１に対する点字イメージ１７１の配置により、ラベルＬの幅方向および長さ方向の少なくとも一方において、打刻領域１８３がラベルＬからはみ出すレイアウトが設定される場合に、指標表示１９１が行われる（図１１ないし図１３における（ｂ）参照）。なお、点字用文字情報を文字入力は、入力編集画面１３１上から点字用文字情報入力ボタン１３３をクリックすることにより、任意のタイミングで行うことが可能である。したがって、一旦、ラベルイメージ１４１上に点字イメージ１７１が配置され、打刻領域１８３がラベルＬに収まっていたとしても、その後に点字用文字情報の文字入力が為され、点字データが追加されたことにより、打刻領域１８３がラベルＬからはみ出す場合には、指標表示１９１が行われる。
【手続補正２９】
【補正対象書類名】明細書
【補正対象項目名】００６５
【補正方法】変更
【補正の内容】
【００６５】
図１１ないし図１３における（ｂ）に示した指標表示１９１は、点字イメージ１７１の２本の対角線に対応する「×」印であり、点字イメージ上に重ねて表示される。この指標表示が為されない場合は、たとえラベルイメージ１４１に点字イメージ１７１が収まっていなくても、点字を適切にラベルＬ上に打刻可能であることが示されており、ユーザは、点字のレイアウトが適切に為されていることを認識することができる。なお、図１４（ａ）に示すように、上記の指標表示に代えて、点字イメージ１７１の１本の対角線に対応する斜線を用いることも当然に可能である。また、指標表示に代えて、図１４（ｂ）に示すように、点字が適切に打刻できない旨を示すメッセージ表示やインジケータ表示等を用いるようにしても良い。
【手続補正３０】
【補正対象書類名】明細書
【補正対象項目名】００７３
【補正方法】変更
【補正の内容】
【００７３】
さらに、上記の例に示した、データ作成装置１０１の各部（各機能）をプログラムとして提供することも可能である。また、そのプログラムを記憶媒体に格納して提供することも可能である。記憶媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【手続補正３１】
【補正対象書類名】図面
【補正対象項目名】図１
【補正方法】変更
【補正の内容】
【図１】
2006289795.tif 000001